(57)【要約】【課題】観音開き式の左右扉の隙間に結露が生じないようにする冷蔵庫を提供する。【解決手段】観音開き式の左右扉１４１，１４２の間をシールする縦仕切り体１５０内に面状の渦巻きに巻回した誘導コイル１５４を配し、この誘導コイル１５４の前面に加熱板１５５を設け、誘導加熱により加熱板１５５を加熱し、左右扉１４１，１４２の隙間に血路した結露水を昇華させる。【選択図】      図４
2018004214.tif 000002
【特許請求の範囲】
【請求項１】
貯蔵室と、
前記貯蔵室の前面の開口部と、
前記開口部の両側に回動自在にヒンジ軸で軸支され、前記開口部を閉塞する観音開き式の左右扉と、
前記左右扉の一方の扉の反軸支側に取り付けられ、前記扉開閉動作に応じて回動して閉扉時に前記左右扉間の隙間をシールする縦仕切体と、
前記隙間に面した金属部分を、誘導コイルで誘導加熱する誘導加熱手段と、
前記誘導加熱手段を制御する制御部と、
を有する冷蔵庫。
【請求項２】
前記誘導加熱手段は、前記縦仕切り体に設けられている、
請求項１に記載の冷蔵庫。
【請求項３】
前記誘導加熱手段は、
前記縦仕切り体の前部に設けられた鉄系、又は、ステンレス系の金属板と、
前記縦仕切り体内において、面状の渦巻きに巻回され、前記面状の渦巻きに巻回した部分が前記金属板と相対向している前記誘導コイルと、
を有する請求項２に記載の冷蔵庫。
【請求項４】
前記縦仕切り体内部に、面状の渦巻きに巻回した前記誘導コイルが、複数組設けられている、
請求項３に記載の冷蔵庫。
【請求項５】
複数組の前記誘導コイルの巻き数が、それぞれ異なる、
請求項４に記載の冷蔵庫。
【請求項６】
前記縦仕切り体内の上部、中央部、下部にそれぞれ面状の渦巻きに巻回した前記誘導コイルが設けられ、
前記上部と前記下部の前記誘導コイルの巻き数が、前記中央部の前記誘導コイルの巻き数より多い、
請求項４に記載の冷蔵庫。
【請求項７】
前記縦仕切り体に温度センサ、又は、湿度センサを有し、
前記制御部が、前記温度センサが検出した温度、又は、前記湿度センサが検出した湿度に基づいて、前記誘導加熱手段を制御する、
請求項１から６のいずれか一項に記載の冷蔵庫。
【請求項８】
面状の渦巻きに巻回した前記誘導コイルの素線と素線の間隔が異なる、
請求項３から７のいずれか一項に記載の冷蔵庫。
【請求項９】
前記誘導加熱手段は、
前記左右扉の一方の扉であって、かつ、前記左右扉が相対向する前記一方の扉内の厚み部分に設けられた前記誘導コイルと、
前記一方の扉の厚み部分に設けられた金属板と、
前記左右扉の他方の扉であって、かつ、前記左右扉が相対向する前記他方の扉の厚み部分に設けられた金属板と、
を有する請求項１に記載の冷蔵庫。
【発明の詳細な説明】
【技術分野】
【０００１】
本発明の実施形態は、冷蔵庫に関するものである。
【背景技術】
【０００２】
大型の冷蔵庫の冷蔵室には、観音開き式の左右扉が設けられているものがある。この左右扉を閉めた場合に、左右扉の間の隙間をシールして冷蔵室内から冷気が逃げるのを防止すると共に、庫外から冷蔵室に熱気が入るのを防止するための縦仕切り体が設けられている。
【０００３】
この隙間を構成する部分には、庫内温度と外気温との差によって結露が生じ易いため、線状のヒータが縦仕切り体内に従来設けられ、この縦仕切り体を加熱することにより結露を防止している。
【先行技術文献】
【特許文献】
【０００４】
【特許文献１】特開２００９−２５０６０２号公報
【発明の概要】
【発明が解決しようとする課題】
【０００５】
上記のように縦仕切り体内に線状のヒータを設け、このヒータに電気を流すことにより加熱する方式であると、外気温や庫内温度に迅速に対応して加熱することができず、結露が生じる場合があるという問題点があった。
【０００６】
そこで本発明の実施形態は、観音開き式の左右扉の隙間に結露が生じないようにする冷蔵庫を提供することを目的とする。
【課題を解決するための手段】
【０００７】
本発明の実施形態は、貯蔵室と、前記貯蔵室の前面の開口部と、前記開口部の両側に回動自在にヒンジ軸で軸支され、前記開口部を閉塞する観音開き式の左右扉と、前記左右扉の一方の扉の反軸支側に取り付けられ、前記扉開閉動作に応じて回動して閉扉時に前記左右扉間の隙間をシールする縦仕切体と、前記隙間に面した金属部分を、誘導コイルで誘導加熱する誘導加熱手段と、前記誘導加熱手段を制御する制御部と、を有する冷蔵庫である。
【図面の簡単な説明】
【０００８】
【図１】本発明の実施形態１の冷蔵庫の正面図。
【図２】冷蔵庫の縦断面図。
【図３】左右扉を開いた状態の冷蔵庫の斜視図。
【図４】左右扉を閉じた状態の拡大平面図。
【図５】縦仕切り体本体の正面図。
【図６】冷蔵庫のブロック図。
【図７】実施形態２の縦仕切り体本体の正面図。
【図８】実施形態３の縦仕切り体本体の正面図。
【図９】実施形態６の縦仕切り体本体の正面図。
【図１０】実施形態７の左右扉が合わさる部分の拡大横方向図。
【発明を実施するための形態】
【０００９】
以下、本発明の一実施形態の冷蔵庫１０について図面を参照して説明する。
【実施形態１】
【００１０】
以下、本発明の実施形態１の冷蔵庫１０について図１〜図６を参照して説明する。
【００１１】
（１）冷蔵庫１０の構造
冷蔵庫１０の構造について図１〜図３に基づいて説明する。冷蔵庫１０のキャビネット１２は断熱箱体であって、内箱と外箱とより形成され、その間に断熱材が充填されている。図１と図２に示すように、このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。
【００１２】
図２と図３に示すように、冷蔵室１４内には、複数のガラス製の棚４０が水平に設けられ、下部にはチルド室４２が設けられている。チルド室４２の左側には、製氷用の水を供給するタンク６８が設けられている。
【００１３】
図２と図３に示すように、冷蔵室１４の前面開口部には、観音開き式の左右扉１４１，１４２が設けられている。左扉１４１の左端部にはヒンジ軸が設けられ、キャビネット１２の天井面の前左端部に設けられたヒンジ部材１４３によって回転自在に軸支されている。右扉１４２の右端部にはヒンジ軸が設けられ、キャビネット１２の天井面の前右端部に設けられたヒンジ部材１４４によって回転自在に軸支されている。左扉１４１のヒンジ部材１４３とは反対側の反軸支側、すなわち、左扉１４１の右側部後面には、縦仕切り体１５０が回動自在に設けられている。この縦仕切り体１５０については後から詳しく説明する。
【００１４】
左扉１４１の後面外周部には、ガスケット１４５が額縁状に設けられている。右扉１４２の後面外周部にも、ガスケット１４６が額縁状に設けられている。ガスケット１４５，１４６内部には、マグネット１４８が設けられている（図４参照）。
【００１５】
左右扉１４１、１４２の後面には、複数段のドアポケット４４が設けられている。左扉１４１の前面には、操作スイッチを有した操作部５６が設けられている。この操作部５６には、冷蔵庫１０の周囲の外気温、周囲の外湿度を検出するための外気温センサ５８と外湿度センサ６０が設けられている。
【００１６】
左扉１４１の下部にはドアスイッチ６２が設けられ、このドアスイッチ６２が押されると、キャビネット１２の天井部前端部の中央部にあるソレノイド式のドア押圧部６４が左扉１４１を後方から押して左扉１４１が開扉状態となる。右扉１４２の下部にもドアスイッチ６２が設けられ、このドアスイッチ６２が押されると、ドア押圧部６４が右扉１４２の後面を押圧して右扉１４２が開扉状態となる。
【００１７】
野菜室１６には引出し式の野菜扉１６ａが設けられ、小型冷凍室１８、冷凍室２０及び製氷室２１には、それぞれ引出し式の扉１８ａ、２０ａ、２１ａが設けられている。野菜室１６には、引出し式の野菜容器４６が設けられている。製氷室２１内には、製氷皿で製氷を行う製氷装置６６が設けられ、冷蔵室１４内部に配されたタンク６８から製氷用の水が供給される。
【００１８】
冷蔵室１４の後面下部から野菜室１６の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー４８で囲まれた冷却室であるＲエバ室２７に配されている。
【００１９】
Ｒエバ室２７から上方に冷気通路５０が冷蔵室１４の背面に沿って延び、この冷気通路５０には複数の吹き出し口５２が設けられ、この吹き出し口５２から冷蔵室１４に冷気が吹き出される。また、チルド室４２の背面にも吹き出し口５４が設けられ、冷気がチルド室４２内部に吹き出される。さらに、冷蔵室１４の背面には、冷蔵室１４の庫内温度を検出するＲセンサ２９が設けられている。
【００２０】
小型冷凍室１８、製氷室２１の後面から冷凍室２０の後面にかけてのＦエバ室３１には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。冷凍室２０の背面には、冷凍室２０の庫内温度を検出するＦセンサ３５が設けられている。
【００２１】
キャビネット１２の後面底部には、機械室２２が設けられ、冷凍サイクルを構成する圧縮機２４などが載置されている。この機械室２２の後面上部には、制御板２６が設けられている。
【００２２】
（２）縦仕切り体１５０
次に、縦仕切り体１５０について図４と図５を参照して説明する。縦仕切り体１５０は、左右扉１４１，１４２の扉開閉動作に応じて回動して、左右扉１４１，１４２が閉扉時において、左扉１４１と右扉１４２の間に形成された隙間１５１をシールする。左扉１４１に設けられたガスケット１４５と右扉１４２に設けられたガスケット１４６は、閉扉状態においてマグネット１４８によって、加熱板１５５に吸着する。これによって冷気を遮断できる。
【００２３】
縦仕切り体１５０は、縦長の直方体であり、左扉１４１の反軸支側の後面に回動自在に回転軸１４７で軸支されている。閉扉状態においては、不図示の捩りバネによって、左扉１４１と右扉１４２の後面にあるガスケット１４５とガスケット１４６を押圧してシール状態を保持し、開扉状態においては左扉１４１に対し９０°回転して、開扉が行えるように退避する。
【００２４】
縦仕切り体１５０は、仕切り体本体１５２と加熱板１５５から構成されている。仕切り体本体１５２は、直方体の箱型であり、上面、下面、左右両側面、後面が一体に形成された合成樹脂より形成されている。仕切り体本体１５２の内部には、直方体の断熱部材１５３が収納されている。断熱部材１５３の前面には、誘導コイル１５４が配されている。この誘導コイル１５４の前方には、加熱板１５５が取り付けられている。この誘導コイル１５４と加熱板１５５とによって、誘導加熱装置（以下、「ＩＨ装置」という）１５６が構成されている。
【００２５】
加熱板１５５は、鉄、ステンレスなどよりなる磁性体の金属製であって縦長の長方形であり、誘導コイル１５４からの磁界によって渦電流が発生し、この渦電流が流れるときに加熱板１５５が加熱される。
【００２６】
誘導コイル１５４は、複数本の金属線を撚った素線１５８を面状の渦巻きに巻回して形成したものである。この巻回する方法について図５を参照して説明する。図５は、縦仕切り体１５０の仕切り体本体１５２の正面図である。誘導コイル１５４の素線１５８は、この仕切り体本体１５２の内部を時計回りの方向で、かつ、仕切り体本体１５２の上辺、下辺、左右両側辺と平行に面状の渦巻きに巻回されている。なお、図面は巻回状態を判り易くするために、巻数を減らした状態で記載している。このように素線１５８を面状の渦巻きに巻回して誘導コイル１５４を形成することにより、この誘導コイル１５４からの磁界が、加熱板１５５に渦電流を発生させ加熱させる。
【００２７】
（３）冷蔵庫１０の電気的構成
次に、冷蔵庫１０の電気的構成について図６に基づいて説明する。制御板２６内部には、冷蔵庫１０を制御する制御部７０とＩＨ装置１５６を制御するインバータ回路７２が設けられている。制御部７０には、インバータ回路７２が接続され、さらに、操作部５６、Ｒセンサ２９、Ｆセンサ３５、外気温センサ５８、外湿度センサ６０、Ｒファン３０、Ｆファン３４、圧縮機２４のモータ、製氷装置６６、ドアスイッチ６２、ドア押圧部６４が接続されている。
【００２８】
インバータ回路７２は、ＩＨ装置１５６にインバータ制御で高周波電流（例えば、２０〜３０ｋＨｚ）を出力し、誘導コイル１５４から磁界を発生させる。ＩＨ装置１５６は、インバータ回路７２からの高周波電流によって磁界を発生させ、この磁界によって加熱板１５５に渦電流が流れて、加熱板１５５の抵抗に基づいて熱が発生し、加熱板１５５が加熱される。
【００２９】
制御部７０とインバータ回路７２は、家庭用の商用電源を整流化し、整流化した直流バンス電力によって駆動している。
【００３０】
制御部７０は、Ｒセンサ２９、Ｆセンサ３５、外気温センサ５８及び外湿度センサ６０によって圧縮機２４を制御し、冷蔵室１４などの冷蔵区画と冷凍室２０などの冷凍区画の庫内温度をそれぞれ設定温度内に制御する。また、制御部７０は、外気温センサ５８、外湿度センサ６０からの外気温と外湿度とに基づいてインバータ回路７２を制御し、ＩＨ装置１５６を駆動して加熱板１５５を加熱する。例えば、外気温が３０℃以上、又は、外湿度が６０％以上のときにインバータ回路７２を制御し、ＩＨ装置１５６を駆動して加熱板１５５を加熱する。また、制御部７０はＲセンサ２９やＦセンサ３５によって検出した庫内温度が設定温度より低いときに、ＩＨ装置１５６を駆動して加熱板１５５を加熱する。
【００３１】
また、ＩＨ装置１５６の通電時間は、特定の高湿度環境条件（例えば、６０％以上）が継続している場合は電圧を抑えて継続させ、湿度が低くなった場合（例えば、６０％未満）には通電を終了させる。
【００３２】
（４）効果
本実施形態によれば、インバータ回路７２によって高周波電流を誘導コイル１５４に流すことにより加熱板１５５を急速加熱ができる。そして、加熱板１５５自体の発熱でムラなく熱を伝え暖めることができる。たとえ、湿度が高い条件下（６０％以上）においても縦仕切り体１５０と隙間１５１に結露した結露水の急熱加熱を行い、垂れ落ちなどの防止を図ることができ、従来のような継続的な通電による線状のヒータの加熱のように庫内への影響や電力の無駄遣いを防止できる。
【００３３】
また、磁性体からなる加熱板１５５以外を磁性体以外の合成樹脂で形成し、加熱板１５５のみを局所的に加熱するため、周辺構造物などへの熱影響を抑制できる。
【００３４】
また、制御部７０が、外気温センサ５８、外湿度センサ６０の検出温度、又は、検出湿度によって、外気温や外湿度が高いと判断した場合にＩＨ装置１５６を駆動し、急速に加熱板１５５を加熱することで短時間（例えば、１〜１０分）の通電（電力としては例えば２０〜５０ｗ）のみで、加熱板１５５に結露した結露水を昇華させることができ、また、隙間１５１の他の面に結露している結露水も昇華させることができる。これにより、加熱板１５５の加熱の必要な環境条件下のみ、縦仕切り体１５０の加熱板１５５に通電することで結露を防止できる。
【実施形態２】
【００３５】
次に、本発明の実施形態２の冷蔵庫１０について図７を参照して説明する。実施形態１では、面状の渦巻きに巻回した誘導コイル１５４は、縦仕切り体１５０の上から下まで巻回したが、本実施形態では図７に示すように面状の渦巻きに巻回した誘導コイル１５４を上部１５４−１と下部１５４−２にそれぞれ分けて配置する。但し、この誘導コイル１５４−１，１５４−２は、１本の素線１５８で構成している。
【００３６】
本実施形態であると、縦仕切り体１５０の加熱板１５５の上部と下部とで異なる温度で加熱を行うことができる。例えば、上部の誘導コイル１５４−１の巻数ｎ１を下部の誘導コイル１５４−２の巻数ｎ２よりも多くすると、上部の加熱板１５５がより高い温度に加熱できる。このようにする理由は、冷蔵室１４の吹き出し口５４から吹き出された冷気が直接当たる部分は庫内温度が下がり、間接的に冷気が流れる部分は庫内温度が下がり難いため、縦仕切り体１５０の縦方向の表面温度が一定とならないからである。
【００３７】
また、本実施形態では、上部の誘導コイル１５４−１と下部の誘導コイル１５４−２とを１本の素線１５８で形成したが、これに限らず上部の誘導コイル１５４−１と下部の誘導コイル１５４−２とを全く独立して形成し、それぞれを加熱させてもよい。この場合には、例えば上部の誘導コイル１５４−１のみを加熱し、下部の誘導コイル１５４−２を加熱しないようにすることもできる。
【実施形態３】
【００３８】
次に、本発明の実施形態３の冷蔵庫１０について図８を参照して説明する。冷蔵室１４内において、冷気が上部の吹き出し口５２から吹き出され、冷蔵室１４の底部に吸い込まれる場合には、縦仕切り体１５０の上部と下部の表面温度が低くなる。そこで、本実施形態では、縦仕切り体１５０の上部、中央部、下部にそれぞれ面状の渦巻きに巻回した誘導コイル１５４−Ａ，１５４−Ｂ，１５４−Ｃを配置する。そして、中央部の誘導コイル１５４−Ｂの巻数を、上部と下部の誘導コイル１５４−Ａ，１５４−Ｃの巻数よりも少なくする。これにより、加熱板１５５の上部と下部が中央部よりも加熱され、結露を適切に昇華させることができる。
【００３９】
また、場合によっては、中央部の誘導コイル１５４−Ｂの巻数を多くしてもよい。この理由は、冷蔵庫１０の左右扉１４１，１４２の開閉を長期間行った場合に、長手方向に対し扉が反るなど変形したときなどがあるからである。
【実施形態４】
【００４０】
次に、本発明の実施形態４について説明する。上記実施形態では、外気温センサ５８と外湿度センサ６０を、左扉１４１の前面にある操作部５６に設けたが、本実施形態では、これに代えて縦仕切り体１５０の加熱板１５５に設ける。これにより、加熱板１５５付近の外気温と外湿度を直接検出するため、より適切な温度で加熱板１５５を加熱できる。
【００４１】
上記実施形態では、外気温センサ５８と外湿度センサ６０の両方を設けたが、これに代えてどちらか一方を設けて、どちらか一方の検出結果に基づいて、ＩＨ装置１５６を制御してもよい。
【実施形態５】
【００４２】
次に、本発明の実施形態５について説明する。上記実施形態では、誘導コイル１５４を加熱板１５５に接触させて配置したが、これに代えて誘導コイル１５４と加熱板１５５の間に若干の隙間を設けて配置する。これにより、誘導コイル１５４からの磁束が変化し、加熱板１５５に流れる渦電流を調整できる。
【実施形態６】
【００４３】
次に、本発明の実施形態６について図９を参照して説明する。上記実施形態では、誘導コイル１５４を構成する素線１５８を巻回するときのピッチは同じであったが、これに代えて本実施形態では異なるピッチで巻回する。例えば、図９に示すように、縦仕切り体１５０の縦方向Ｙにおいては、上下に行くほど素線１５８の巻回するピッチを短くし、また、横方向Ｘにおいては、左右に行くほど素線１５８のピッチを短くしていく。すなわち、グラフに示すように、縦方向Ｙにおいてはｙ１＞ｙ２＞ｙ３となって、上下に行くほど加熱板１５５の温度Ｔが上昇する。横方向Ｘにおいてはｘ１＞ｘ２＞ｘ３となって、左右に行くほど加熱板１５５の温度Ｔが上昇する。これにより、縦仕切り体１５０の加熱板１５５の周囲に行くほど温度が高くなるように構成でき、確実に結露水を昇華させることができる。
【実施形態７】
【００４４】
次に、本発明の実施形態７について図１０を参照して説明する。上記実施形態では、縦仕切り体１５０内に誘導コイル１５４を設け、加熱板１５を金属製とすることによりＩＨ装置１５６を構成した。本実施形態ではこれに代えて、図１０に示すように、右扉１４２の反軸支側の左側面内に誘導コイル１５４を設け、右扉１４２の左側面に金属製の第１の加熱板１５５ｂを設け、左扉１４１の右側面に金属製の第２の加熱板１５５ａを設ける。そして、誘導コイル１５４に高周波電流を流すことにより、右扉１４２の左側面にある第１の加熱板１５５ｂ、左扉１４１の右側面にある第２の加熱板１５５ａを加熱して、隙間１５１を加熱する。これにより、隙間１５１に面する面は、加熱されて結露水を昇華させることができる。
【００４５】
なお、実施形態７の変更例としては、左扉１４１内の厚み部分に誘導コイル１５４を設けてもよい。
【変更例】
【００４６】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４７】
１０・・・冷蔵庫、１２・・・キャビネット、１４・・・冷蔵室、７０・・・制御部、７２・・・インバータ回路、１４１・・・左扉、１４２・・・右扉、１５０・・・縦仕切り体、１５１・・・隙間、１５２・・・仕切り体本体、１５３・・・断熱部材、１５４・・・誘導コイル、１５５・・・加熱板、１５６・・・加熱誘導装置、１５８・・・素線
【図１】
2018004214.tif 000003
【図２】
2018004214.tif 000004
【図３】
2018004214.tif 000005
【図４】
2018004214.tif 000006
【図５】
2018004214.tif 000007
【図６】
2018004214.tif 000008
【図７】
2018004214.tif 000009
【図８】
2018004214.tif 000010
【図９】
2018004214.tif 000011
【図１０】
2018004214.tif 000012